(57)【要約】【課題】隣り合う光源によってそれぞれ照射される演出用表示部材の照射領域において、従来とは異なる演出効果を得ることができる遊技機を提供する。【解決手段】隣り合うＬＥＤ６２ａ，６２ａの間に設けられた仕切部材８９と、演出用表示シート６７に設けられて、ＬＥＤ６２ａによってそれぞれ照らされる複数の照射領域１０１〜１０２とを備え、仕切部材８９と演出用表示シート６７との間に設けた隙間Ｓの長さが、前記隙間の長さは、隣り合う光源のうちの一方の光源からの光が、一方の光源６２ａからの光が、他方の光源によって照らされる照射領域１０１〜１０３の一部を照射可能となるように設定されているので、従来とは異なる演出効果を得ることができる。【選択図】図１３
2018075052.tif 000002
【特許請求の範囲】
【請求項１】
並設された複数の光源と、これら光源によって照らされることで演出を行う演出用表示部材とを備えた遊技機であって、
隣り合う前記光源の間に設けられて、光を遮蔽可能な仕切部材と、
前記演出用表示部材に設けられて、隣り合う前記光源によってそれぞれ照らされる隣り合う照射領域とを備え、
前記仕切部材と前記演出用表示部材との間に隙間が設けられ、
前記隙間の長さは、隣り合う光源のうちの一方の光源からの光が、他方の光源によって照らされる他方の照射領域の一部を照射可能となるように設定されていることを特徴とする遊技機。
【請求項２】
複数の前記光源はそれらの並設方向に沿って順次点灯することを特徴とする請求項１に記載の遊技機。
【請求項３】
前記照射領域に前記光源から光が照射されることによって光って見える意匠部が設けられ、
他方の前記照射領域に設けられている前記意匠部の一部は、一方の前記光源によって照らされる他方の前記照射領域の一部に位置していることを特徴とする請求項１または２に記載の遊技機。
【発明の詳細な説明】
【技術分野】
【０００１】
本発明は、光源によって照らされることで演出を行う演出用表示部材を備えた遊技機に関する。
【背景技術】
【０００２】
演出用表示部材を備えた遊技機の一例として特許文献１〜３に記載のものが知られている。
特許文献１に記載の遊技機は、複数のＬＥＤ、隣り合うＬＥＤどうしの光を仕切る仕切部材および演出用表示シート（演出用表示部材）を備えている。そして、仕切部材と演出用表示シートとの間を僅かだけ開けておくように、仕切部材の長さを設定することで、各ＬＥＤの発光を分けて見せつつ、隣り合うＬＥＤどうしを同時に点灯させた際に、演出用表示シートにおける仕切部材のある箇所が明るくなるように（影ができて暗くならないように）している。
【０００３】
特許文献２に記載の遊技機は、演出用パネルを備えており、この演出用パネルは、２つのＬＥＤと、仕切り片と、表示シート（演出用表示部材）とを有している。表示シートには、第１の演出表示領域と第２の演出表示領域が形成されている。仕切り片は、第１の演出表示領域に対向する第１空間と、第２の演出表示領域に対向する第２空間とを仕切っており、これによって一方のＬＥＤによる第１の演出表示領域への表示と、他方のＬＥＤによる第２の演出表示領域への表示とを区分けしている。
【０００４】
特許文献３に記載の遊技機は、複数のＬＥＤを有する発光体基板と、リフレクタと、演出用表示シート（演出用表示部材）を備えている。そして、リフレクタを発光体基板の正面側に配置し、リフレクタにより仕切られる複数の空間部に、それぞれＬＥＤが位置するようになっている。これによって、各ＬＥＤによる演出用表示シートの各表示領域への表示を区分けしている。
【先行技術文献】
【特許文献】
【０００５】
【特許文献１】特開２００７−９７６８８号公報
【特許文献２】特開２０１５−５１１５０号公報
【特許文献３】特開２０１２−１４７８３２号公報
【発明の概要】
【発明が解決しようとする課題】
【０００６】
ところで、特許文献２および３に記載の従来の遊技機では、リフレクタ（仕切部材）によって、各ＬＥＤによる演出用表示シート（演出用表示部材）への各表示領域への表示を区分けしている、つまり隣り合うＬＥＤのうちの一方のＬＥＤからの光が、他方のＬＥＤによって照らされるべき照射領域を照らすのを防止している。
また、特許文献１に記載の従来の遊技機では、仕切部材と演出用表示シート（演出用表示部材）との間を僅かだけ開けておくことで、各ＬＥＤの発光を分けて見せつつ、隣り合うＬＥＤどうしを同時に点灯させた際に、演出用表示シートにおける仕切部材のある箇所（隣り合う表示領域（照射領域）の境界部）が明るくなるようにしている。
このように特許文献１〜３に記載の従来の遊技機では、隣り合うＬＥＤのうちの一方のＬＥＤからの光が、他方のＬＥＤによって照らされる照射領域に照射されないように仕切部材を構成している。
一方近年、隣り合うＬＥＤどうしの発光を区分けできるとともに、隣り合うＬＥＤによってそれぞれ照射される照射領域において、従来とは異なる演出効果を得たいという要望がある。
【０００７】
本発明は、前記事情に鑑みてなされたもので、隣り合う光源によってそれぞれ照射される演出用表示部材の照射領域において、従来とは異なる演出効果を得ることができる遊技機を提供することを目的とする。
【課題を解決するための手段】
【０００８】
前記目的を達成するために、本発明の遊技機は、並設された複数の光源と、これら光源によって照らされることで演出を行う演出用表示部材とを備えた遊技機であって、
隣り合う前記光源の間に設けられて、光を遮蔽可能な仕切部材と、
前記演出用表示部材に設けられて、隣り合う前記光源によってそれぞれ照らされる隣り合う照射領域とを備え、
前記仕切部材と前記演出用表示部材との間に隙間が設けられ、
前記隙間の長さは、隣り合う光源のうちの一方の光源からの光が、他方の光源によって照らされる他方の照射領域の一部を照射可能となるように設定されていることを特徴とする。
【０００９】
本発明においては、仕切部材と演出用表示部材との間に設けられた隙間の長さが、隣り合う光源のうちの一方の光源からの光が、他方の光源によって照らされる照射領域の一部を照射可能となるように設定されているので、他方の光源からの光によって照らされる照射領域の一部は一方の光源からの光によって照らされる。このため、照射領域では、その光源からの光によって照らされる部分と、当該光源および隣り合う照射領域を照らす光源からの光によって照らされる部分とが共存するため、両方の光源の点灯タイミングや点灯色を異ならせることで、従来とは異なる演出効果を得ることができる。
また、仕切部材と演出用表示部材との間に隙間が設けられているので、仕切部材と演出用表示部材との間に隙間ない場合に生じる影を軽減できる。
【００１０】
また、本発明の前記構成において、複数の前記光源はそれらの並設方向に沿って順次点灯してもよい。
【００１１】
このような構成によれば、複数の光源はそれらの並設方向に沿って順次点灯するので、並設された各光源によってそれぞれ照らされる各照射領域が光源の点灯に伴って、明るさや色が順次変化していく。したがって、演出効果をより高めることができる。
【００１２】
また、本発明の前記構成において、前記照射領域に前記光源から光が照射されることによって光って見える意匠部が設けられ、
他方の前記照射領域に設けられている前記意匠部の一部は、一方の前記光源によって照らされる他方の前記照射領域の一部に位置していてもよい。
【００１３】
このような構成によれば、他方の前記照射領域に設けられている前記意匠部の一部は、一方の前記光源によって照らされる他方の前記照射領域の一部に位置しているので、各光源の点灯タイミングや点灯色を異ならせることで、意匠部はその一部が他の部分と異なる態様で光り、また、複数の光源をそれらの並設方向に沿って順次点灯させることで、各照射領域に設けられている意匠部が光源の点灯に伴って、明るさや色が順次変化していく。
このため、各意匠部が異なる態様で光って見えたり、順次滑らかに移動していくように光って見えるので、演出効果をさらに高めることができる。
【発明の効果】
【００１４】
本発明によれば、仕切部材と演出用表示部材との間に設けられる隙間の長さが、隣り合う光源のうちの一方の光源からの光が、他方の光源によって照らされる照射領域の一部を照射可能となるように設定されているので、隣り合う光源によってそれぞれ照射される演出パネルの照射領域において、従来とは異なる演出効果を得ることができる。
【図面の簡単な説明】
【００１５】
【図１】本発明の実施の形態に係る遊技機の一例を示すもので、前扉の下扉を開いた状態を示す斜視図である。
【図２】同、リール前ユニットの斜視図である。
【図３】同、演出用パネルの分解斜視図である。
【図４】同、リール前ユニットを取り外した状態の上扉の正面図である。
【図５】同、演出用パネルの組立工程を示すもので、（ａ）は正面パネルの背面側を示す斜視図、（ｂ）は正面パネルに演出用表示シートを重ねた状態を示す背面側の斜視図、（ｃ）演出用表示シートに背面パネルを重ねた状態を示す背面側の斜視図である。
【図６】同、演出用表示シートの正面側の斜視図である。
【図７】同、背面パネルの正面側の斜視図である。
【図８】同、リフレクタパネルを示すもので、（ａ）その正面側の斜視図、（ｂ）は側断面図である。
【図９】同、演出用パネルをリール前ユニットに組み付ける工程を示すもので、取付部を示す背面図、取付部に演出用パネルを組み付けた状態を示す背面図、（ｃ）は演出用パネルをリフレクタパネルで固定した状態を示す背面図である。
【図１０】同、リール前ユニットの取付部を正面側から見た斜視図である。
【図１１】同、リール前ユニットの取付部を背面側から見た斜視図である。
【図１２】同、演出用パネルにリフレクタパネルを重ねた状態を示す断面図である。
【図１３】同、演出用表示シートとＬＥＤとの関係を模式的に示す図である。
【図１４】同、演出用表示シートの正面図である。
【図１５】同、意匠部を表現した上扉の正面図である。
【発明を実施するための形態】
【００１６】
以下、本発明の実施の形態について図面を参照して説明する。本実施の形態は本発明を遊技機の一つであるスロットマシンに適用した場合を例にとって説明するが、本発明はスロットマシンに限ることなく、その他の遊技機に適用してもよい。
なお、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１７】
まず、発明が適用されるスロットマシンＭの概略構成について説明する。
図１は下扉４０を開いた状態のスロットマシンＭを示す斜視図である。
このスロットマシンＭは、筐体１を備えており、この筐体１は、底板、左右の側板、天板および背板を備え、当該筐体１の正面側に開口する正面開口部を有する箱形に形成されている。なお、底板の上面には、各部品に電力を供給するための電源装置を内蔵した電源ユニット４、メダルを貯留するとともにメダルを払い出す払い出し装置としてのホッパーユニット５等が設けられている。
【００１８】
また、筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
前記筐体１内には、交換ユニットが着脱可能に設けられている。この交換ユニットは、略直方体状に組まれた金属枠である枠体と、枠体に支持されたリールユニットと、枠体に固定された基板ユニットとを備えている。
リールユニットは、枠体に設けられた３個のステッピングモータと、各々のステッピングモータの出力軸に固定された３個の回転リールとを備えている。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１９】
図１に示すように、上扉３０の下部には表示窓３１が設けられている。この表示窓３１は上側ほど後側に向かうように水平面に対して傾斜して設けられ、この表示窓３１の奥には、前記３個の回転リールが横一列に設けられている。各回転リールの外周面には複数種類の図柄が配列されており、回転リールが停止すると表示窓３１を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部には、表示窓３１より大きい表示窓３２がほぼ鉛直に設けられている。この表示窓３２は上扉３０に設けられた表示ユニットの表示面を見るために設けられたものであり、この表示ユニットでは、その表示面に遊技機における演出用の画像が表示されるようになっている。
また、上扉３０の表示窓３２の上側中央部には、報知や演出などを行うための照明装置３３が設けられている。
また、表示窓３２と表示窓３１との間には報知や演出などを行うための横長の照明装置３４，３５，３４が左右に隣接して設けられている。
また、表示窓３１の左右両側には報知や演出などを行うための演出用パネル６１が設けられている。さらに、各演出用パネル６１の表示窓３１と逆側には報知や演出などを行うための照明装置３７が設けられている。
【００２０】
また、上扉３０は、筐体１内に設けられた前記交換ユニットにヒンジを介して回動可能に連結されることで、筐体１の開口上部を開閉するようになっている。また、下扉４０は筐体１にヒンジ３８，３８を介して回動可能に連結されることで、筐体１の開口下部を開閉するようになっている。
【００２１】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニット４やホッパーユニット５等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
【００２２】
また、上扉３０の下端部には、下扉４０の前面より後方側で下扉４０の上端より下側に突出する係合部が設けられ、下扉４０が閉じた状態で、上扉３０を開放することができない構造になっている。
【００２３】
また、下扉４０の上部には、スロットマシンＭを操作するための操作部が設けられている。操作部には、クレジットされたメダルを払い出すための精算スイッチ、ゲームを開始させるためのスタートレバー、回転リールの回転を停止させるためのストップスイッチ、メダルを投入するためのメダル投入口、メダル投入口の下方のメダル通路内で発生したメダル詰まりを解消するリジェクトボタン、最大数の３枚のメダルをゲームに投資するときに操作されるＭＡＸベットスイッチボタン等が設けられる他、遊技の演出等を選択するための操作盤や、表示ユニットが設けられている。操作盤は操作部の幅方向（左右方向）の略中央部に配置され、メダル投入口およびリジェクトボタンを挟んで、右側に表示ユニットが配置されている。なお、操作盤には、演出等の選択用の十字キー、決定ボタン、キャンセルボタン等を有している。
【００２４】
また、下扉４０の下部には、スロットマシン内部よりメダルを排出するためのメダル払い出し口と、メダル払い出し口から排出されたメダルを溜めておくためのメダル受け皿とが設けられている。また、操作部とメダル受け皿との間には液晶表示パネルが取り付けられている。
【００２５】
図２は、演出用パネル６１，６１を左右両側に備えたリール前ユニット６０を示す斜視図である。このリール前ユニット６０は、上扉３０の前面部の下部を構成するとともに、その左右方向中央部に表示窓３１を有しており、上述したように、この表示窓３１の奥に、回転リールが横一列に設けられるようになっている。
演出用パネル６１，６１は左右対称に配置されているので、以下では右側の演出用パネル６１について説明し、左側の演出用パネル６１の説明は省略する。
【００２６】
図３に示すように、演出用パネル６１は、当該演出用パネル６１の正面側を構成する正面パネル６５と、背面側を構成する背面パネル６６と、正面パネル６５と背面パネル６６とで挟持された透光性を有する演出用表示シート（演出用表示部材）６７とを備えている。
このような演出用パネル６１は、リフレクタパネル６８に取り付けられ、このリフレクタパネル６８の背面側に、演出用パネル６１をその背面側から照らす光源としての複数のＬＥＤ（光源）６２ａを有するＬＥＤ基板６２が設けられている。このＬＥＤ基板６２は、図４に示すように、上扉３０のキャビネットベース６３の下部右側に取り付けられている。なお、キャビネットベース６３の下部左側には、左側の演出用パネル６１のＬＥＤ基板６２が取り付けられている。
また、演出用パネル６１はリール前ユニット６０に取り付けられ、このリール前ユニット６０がキャビネットベース６３の下部に取り付けられる。
【００２７】
正面パネル６５は、図５（ａ）に示すように、透明な樹脂からなる略矩形板状の部材であり、その上辺は円弧状に湾曲している。正面パネル６５は、背面側から見て、平板状のパネル本体６５ａと、このパネル本体６５ａの上辺側、下辺側および左辺側にパネル本体６５ａから直角に突出するようにして設けられた立壁部６５ｃと、この立壁部６５ｃの上端に外側に向けて突出するようにして設けられたフランジ部６５ｂとを有している。また、パネル本体６５ａの右辺部は背面側に円弧状に湾曲した湾曲部６５ｗとなっており、その先端部はフランジ部６５ｂより背面側に突出している。
【００２８】
フランジ部６５ｂの円弧状の上片部には細い柱状でかつ上片部に対して直角に突出する突起６５ｇと、当該突起６５ｇと離間して貫通孔６５ｅとが設けられている。上片部の貫通孔６５ｅの略半分は当該上片部に設けられた半円弧状の凸部６５ｆに設けられている。
フランジ部６５ｂの下片部には、略半円弧状の凸部６５ｄが設けられ、この凸部６５ｄに細い柱状の突起６５ｇが凸部６５ｄに対して直角に突出するようにして設けられている。また、下片部には凸部６５ｄと離間して略半円弧状の凸部６５ｈが設けられ、この凸部６５ｈに貫通孔６５ｅが設けられている。なお、貫通孔６５ｅの略半分は下片部に設けられている。なお、凸部６５ｄと凸部６５ｈとの間には略半円弧状の凸部が設けられ、凸部６５ｄの左側には矩形状の凸部が設けられている。
【００２９】
演出用表示シート６７は、図６に示すように、透光性を有する樹脂で形成された略矩形のシート状のものであり、その上辺は正面パネル６５と同様に円弧状に湾曲している。演出用表示シート６７は、シート本体６７ａと、このシート本体６７ａの左辺から略円弧状に背面側に湾曲して延びる湾曲部６７ｂとを有している。シート本体６７ａの略中央部には、例えば３匹の蝶を模した意匠部６９ａ，６９ｂ，６９ｃが上下に所定間隔で施されており、背面側から光が照らされると、当該意匠部６９ａ，６９ｂ，６９ｃが明るく光るようになっている。
また、シート本体６７ａの上辺には、半円弧状の２つの切欠部６７ｄ，６７ｅが離間して設けられている。また、シート本体６７ａの下辺には半円状の切欠部６７ｆ、円状の孔６７ｇ、略矩形でかつ底部が円弧状の切欠部６７ｈが互いに離間して設けられている。
また、湾曲部６７ｂの上下方向に沿う縁部には、略矩形の２つの切欠部（係合部）６７ｊ，６７ｊが上下に離間して設けられている。
【００３０】
そして、このような演出用表示シート６７は、図５（ｂ）に示すように、そのシート本体６７ａの縁部を正面パネル６５の背面側のフランジ部６５ｂ（図５（ａ）参照）に当接するとともに、湾曲部６７ｂを正面パネル６５の湾曲部６５ｗに沿わせるようにして、正面パネル６５の背面（裏面）に重ね合わせる。この状態において、演出用表示シート６７の上辺の切欠部６７ｄに、正面パネル６５の上縁部側の突起６５ｇが嵌まり込むとともに、演出用表示シート６７の下辺の孔６７ｇに、正面パネル６５の下縁部側の突起６５ｇが挿通されている。これによって、正面パネル６５に対する演出用表示シート６７の位置決めがなされている。
このようにして、正面パネル６５に対して演出用表示シート６７が位置決めされることによって、正面パネル６５の上縁部側の貫通孔６５ｅと下縁部側の貫通孔６５ｅとは、演出用表示シート６７によって覆われることなく、その切欠部６７ｅと切欠部６７ｆとによって背面側に露出した状態となっている。
【００３１】
背面パネル６６は、図７に示すように、透明な樹脂からなる略矩形板状の部材であり、その上辺は正面パネル６５および演出用表示シート６７と同様に円弧状に湾曲している。背面パネル６６は、平板状のパネル本体６６ａを有しており、このパネル本体６６ａの上辺には略半円状の凸部６６ｂが設けられ、この凸部６６ｂに貫通孔６６ｃが設けられている。
また、パネル本体６６ａの下辺には、略半円状の凸部６６ｄと矩形状の凸部６６ｅが設けられ、凸部６６ｄに貫通孔６６ｆが設けられている。
さらに、パネル本体６６ａの表面側には、右辺に沿って凸条６６ｇが設けられ、下辺に沿って凸条６６ｈが設けられている。
【００３２】
そして、このような背面パネル６６は、図５（ｃ）に示すように、正面パネル６５に重ねて設けられている演出用表示シート６７の背面（裏面）に重ねて設ける。この状態において、背面パネル６６の上辺側の貫通孔６６ｃに正面パネル６５の上縁部側の突起６５ｇが挿通されるとともに、背面パネル６６の下辺側の貫通孔６６ｆに正面パネル６５の下縁部側の突起６５ｇが挿通されている。これによって、正面パネル６５および演出用表示シート６７に対する背面パネル６６の位置決めがなされている。
また、この状態において、演出用表示シート６７の湾曲部６７ｂは、背面パネル６６の右辺から延出している。また、当該湾曲部６７ｂの切欠部（係合部）６７ｊ，６７ｊが設けられた縁部は、正面パネル６５の湾曲部６５ｗの縁部および背面パネル６６の右辺より背面側に突出している。
また、背面パネル６６を演出用表示シート６７に重ねた状態において、正面パネル６５の貫通孔６５ｅ，６５ｅは、背面パネル６６によって覆われることなく、背面側に露出している。
【００３３】
リフレクタパネル６８は、正面パネル６５、背面パネル６６および演出用表示シート６７からなる演出用パネル６１を、リール前ユニット６０（図２参照）に固定する機能を有するとともに、ＬＥＤ基板６２のＬＥＤ６２ａから演出用パネル６１の背面に照射される光が当該演出用パネル６１の外周側から漏洩するのを防止しつつ演出用パネル６１の背面で反射した光をさらに反射して演出用パネル６１の背面に照射するための反射板としての機能を有している。
【００３４】
リフレクタパネル６８は、透光性を有しない白色の樹脂によって形成され、図８に示すように、正面視において略矩形状をなすとともに、中央部に開口部７０が設けられたパネル本体６８ａを有している。正面視においてパネル本体６８ａの上辺は略円弧状に形成され、下辺、左辺および右辺は直線状に形成されている。
パネル本体６８ａの上辺には正面側に向けて突出する略円弧状の上壁部７１が設けられている。この上壁部７１には外側に向けて円筒面状に膨出する膨出部が設けられており、この膨出部の内側に凹所７１ａ，７１ａが離間して設けられている。
また、パネル本体６８ａの上辺部には、演出用表示シート６７の裏面に当接するシート当接部７２が上壁部７１の長手方向に沿って設けられている。シート当接部７２はパネル本体６８ａの表面から突出する壁状のものであり、２つの当接部材によって構成されている。当接部材間には所定の間隔が設けられ、この間隔において、パネル本体６８ａに円状の凹所７３が設けられている。また、この凹所７３から所定距離だけ離れた位置に、シート当接部７２の上端から突出する細い柱状の突起７４が設けられている。
また、パネル本体６８ａの表面は、シート当接部７２の下端から開口部７０の上縁にかけて滑らかな円弧面となっている。
【００３５】
また、パネル本体６８ａの左辺には正面側に向けて突出する側壁部７５が設けられている。この側壁部７５の長手方向（図８（ａ）において上下方向）の中央部には、背面パネル６６の裏面に当接する背面パネル当接部７６が設けられている。この背面パネル当接部７６はパネル本体６８ａの表面から側壁部７５の内面に沿って延びる略柱状のものであり、その先端部は側壁部７５の上端から僅かに突出しており、この突出した部分が背面パネル６６の裏面に当接するようになっている。
【００３６】
また、パネル本体６８ａの右辺には正面側に向けて突出する側壁部７７が設けられている。この側壁部７７の長手方向（図８（ａ）において上下方向）の中央部より若干上方位置には、背面パネル６６の裏面に当接する背面パネル当接部７８が設けられている。この背面パネル当接部７８の先端部は側壁部７７の上端から僅かに突出しており、この突出した部分が背面パネル６６の裏面に当接するようになっている。
なお、側壁部７７の高さは、側壁部７５の高さと等しくなっており、背面パネル当接部７８の先端部の側壁部７７からの突出長さは、背面パネル当接部７６の先端部の側壁部７５からの突出長さと等しくなっている。
また、パネル本体６８ａの表面は、側壁部７７の先端から開口部７０の右縁にかけて滑らかな円弧面となっている。
【００３７】
パネル本体６８ａの下辺には正面側に向けて突出する下壁部８０が設けられている。この下壁部８０の長手方向中央部でかつ外側を向く面には凹所８０ａが設けられている。
また、パネル本体６８ａの下辺部には、演出用表示シート６７の裏面に当接するシート当接部８２が下壁部８０の長手方向に沿って設けられている。シート当接部８２は下壁部８０の外側を向く面に沿って設けられており、当該シート当接部８２の先端部は、下壁部８０より正面側に突出している。
シート当接部８２は、３つの当接部材で構成され、隣り合う当接部材は所定の間隔をもって配置されている。また、当接部材の下面には補強リブ８２ａが設けられている。
また、シート当接部８２には、当該シート当接部８２の上端から突出する細い柱状の突起８４が設けられている。
【００３８】
また、下壁部８０の長手方向両端部と中央部とには、それぞれ背面パネル６６の裏面に当接する背面パネル当接部８６が設けられている。この背面パネル当接部８６の先端部は下壁部８０の上端から僅かに突出しており、この突出した部分が背面パネル６６の裏面に当接するようになっている。
また、パネル本体６８ａの表面は、下壁部８０の先端から開口部７０の下縁にかけて滑らかな円弧面となっている。
【００３９】
また、パネル本体６８ａの上縁部の両端部と、下縁部の両端部とには、それぞれ固定部８７が設けられている。この固定部８７はリフレクタパネル６８をリール前ユニット６０にねじ等の止着部材によって固定するためのものであり、パネル本体６８ａから突出する固定片とこの固定片に設けられた取付孔８７ｂとを有している。
パネル本体６８ａの右上部の固定部８７と、左下部の固定部８７とは座掘部を有しており、この座掘部に取付孔８７ｂが設けられている。
また、パネル本体６８ａには、開口部７０を左右に掛け渡すようにして２本の補強フレーム８８，８８が上下に離間して設けられている。この補強フレーム８８に仕切部材８９が設けられている。
【００４０】
上述したような演出用パネル６１をリフレクタパネル６８によってリール前ユニット６０に固定する場合、以下のようにして行う。
まず、演出用パネル６１を取り付けるための取付部９０について説明する。
図９（ａ）は、リール前ユニット６０の正面側における右側部分を示す背面図である。背面から見ると、リール前ユニット６０の左端部には、演出用パネル６１を取り付けるための取付部９０が設けられている。この取付部９０は、開口部９１を囲むようにして設けられている設置面９２と、この設置面９２の周囲に設けられた４つの固定柱９３とを有しており、固定柱９３の先端面には雌ねじが形成されている。
また、取付部９０は、図１０に示すように、リール前ユニット６０の正面側において、当接面９４を有している。この当接面９４は、リール前ユニット６０の正面（前面）とほぼ平行な上下に延在する帯状の面であり、開口部９１の左縁に沿って設けられている。
【００４１】
また、リール前ユニット６０には、図１０および図１１に示すように、演出用表示シート６７に設けられた切欠部（係合部）６７ｊ，６７ｊが係合される突条（被係合部）９７，９７が設けられている。
突条（被係合部）９７は、開口部９１の側方（図１０において左側方、図１１において右側方）に設けられている壁面９８に当接面９４と直角に配置されている。壁面９８は、表示窓３１を構成する側壁の外側を向く面であり、当該壁面９８は開口部９１の開口面とほぼ直角に配置されている。
また、突条（被係合部）９７の上端部（壁面９８から突出する方向における上端部）は当接面９４より開口部９１の内側に突出している。また、この突条（被係合部）９７の先端面９７ａは当接面９４より若干リール前ユニット６０の背面側に位置している。
【００４２】
そして、リール前ユニット６０の取付部９０に演出用パネル６１を取り付ける場合、図９（ｂ）に示すように、リール前ユニット６０の背面側から取付部９０に演出用パネル６１を嵌め込む。
この場合、演出用パネル６１を正面パネル６５から取付部９０に挿入し、正面パネル６５のフランジ部６５ｂを取付部９０の設置面９２に設置する。演出用パネル６１を取付部９０に挿入する場合、当該演出用パネル６１を若干傾けて、図５（ｃ）に示す右側部側から挿入して、正面パネル６５の湾曲部６５ｗの先端面を当接面９４（図１０参照）に当接しつつ、フランジ部６５ｂを設置面９２に設置する。
また、演出用パネル６１を若干傾けて取付部９０に挿入する場合、図１１に示すように、演出用表示シート６７の湾曲部６７ｂに形成されている切欠部（係合部）６７ｊ，６７ｊを、取付部９０の突条（被係合部）９７，９７の先端部に係合するとともに、図９（ｂ）に示すように、演出用表示シート６７の左縁部を壁部９９に当接する。なお、図１１に示すように、切欠部（係合部）６７ｊ，６７ｊを、取付部９０の突条（被係合部）９７，９７の先端部に係合する場合、切欠部６７ｊ，６７ｊの底部が突条９７，９７の先端面９７ａ，９７ａに当接する。
このようにして、演出用表示シート６７は、図１１において、上下方向および左右方向への移動が規制される。また、切欠部（係合部）６７ｊ，６７ｊの底部が突条（被係合部）９７，９７の先端面９７ａ，９７ａに当接しているので、演出用表示シート６７の湾曲部６７ｂの突条（被係合部）９７，９７の長手方向への移動が規制される。したがって、演出用表示シート６７の位置ずれを防止できる。
【００４３】
次に、図９（ｃ）に示すように、リフレクタパネル６８をその正面側から演出用パネル６１の背面パネル６６に重ねるようにして被せるとともに、リフレクタパネル６８の４つの固定部８７を取付部９０の４つの固定柱９３の先端面に設置する。この場合、４つの固定部８７のうち、左上側の固定部８７ａと右下側の固定部８７ａとは、その座掘部を固定柱９３の上端部に被せるとともに、座掘部の底面を固定柱９３の先端面に設置する。
このようにしてリフレクタパネル６８を演出用パネル６１に重ねるようにして被せると、リフレクタパネル６８の突起７４，８４（図８参照）が正面パネル６５の貫通孔６５ｅ，６５ｅ（図５（ａ）参照）に挿入されるとともに、リフレクタパネル６８の凹所７１ａ，７１ａが正面パネル６５の凸部６５ｆと背面パネル６６の凸部６６ｂに嵌まり込む。これによって、リフレクタパネル６８を演出用パネル６１に対して位置決めして取り付けることができる。
【００４４】
次に、図９（ｃ）に示すように、４つの固定部８７の取付孔８７ｂ（図８参照）に、ねじ１００を挿通して固定柱９３の雌ねじにねじ込むことによって、リフレクタパネル６８を取付部９０に固定して取り付ける。このようにして、演出用パネル６１をリール前ユニット６０にリフレクタパネル６８によって挟み付けるようにして固定する。
【００４５】
この状態において、図１２に示すように、リフレクタパネル６８のシート当接部７２，８２が演出用表示シート６７の裏面に当接して、当該演出用表示シート６７を正面パネル６５のフランジ部６５ｂに押え付けるとともに、リフレクタパネル６８の背面パネル当接部７６，７８，８６が背面パネル６６に当接して、当該背面パネル６６を演出用表示シート６７を介して正面パネル６５に押え付けることができる。したがって、リフレクタパネル６８をリール前ユニット６０に固定するだけで、演出用表示シート６７を押え付けながら、リール前ユニット６０に位置決め固定できる。なお、図１２においては、シート当接部８２、背面パネル当接部７８，８６は、図１２に示す断面では現われないため、シート当接部８２、背面パネル当接部７８，８６は記載していない。
【００４６】
上述したようにして演出用パネル６１がリール前ユニット６０に固定され、このリール前ユニット６０がキャビネットベース６３の下部に取り付けられた状態において、図１２に示すように、演出用パネル６１の背面パネル６６の背面側にはＬＥＤ基板６２が背面パネル６６と所定の間隔をもって配置されている。ＬＥＤ基板６２には、図３に示すように、複数のＬＥＤ６２ａが設けられている。複数のＬＥＤ６２ａのうち、ＬＥＤ基板６２の中央部には左右方向の所定間隔で並設された４個のＬＥＤ６２ａからなるＬＥＤ群が上下方向に所定間隔で３列設けられている。
これら３列のＬＥＤ群のうち、下段のＬＥＤ群を構成する４つのＬＥＤ６２ａをＬＥＤ６２ａ１、中段の４つのＬＥＤ６２ａをＬＥＤ６２ａ２とる。また、上段の４つのＬＥＤ６２ａとその上方に位置する２つのＬＥＤ６２ａをＬＥＤ６２ａ３とする。
【００４７】
一方、図８および図１２に示すように、リフレクタパネル６８の上下２本の補強フレーム８８にはそれぞれ仕切部材８９が取り付けられている。この仕切部材８９はリフレクタパネル６８の幅方向に沿って延びる帯板状のものであり、その左右両端部はリフレクタパネル６８の内側面にそれぞれ当接されている。
また、上側の仕切部材８９は、図１３および図１４に示すように、上段のＬＥＤ６２ａ３と中段のＬＥＤ６２ａ２との間の略中央部に位置し、下側の仕切部材８９は、中段のＬＥＤ６２ａ２と下段のＬＥＤ６２ａ１との間の略中央部に位置している。そして、仕切部材８９は、ＬＥＤ６２ａからの光を遮蔽可能となっている。
つまり、上側の仕切部材８９は、上段のＬＥＤ６２ａ３からの光および中段のＬＥＤ６２ａ２からの光を遮蔽可能となっており、下側の仕切部材８９は、中段のＬＥＤ６２ａ２からの光および下段のＬＥＤ６２ａ１からの光を遮蔽可能となっている。
【００４８】
また、演出用表示シート６７は、複数のＬＥＤ６２ａによってそれぞれ照らされる複数の複数（３つ）の照射領域とを備えている。
すなわち、演出用表示シート６７は、下側の仕切部材８９より下方にある照射領域１０１、上下の仕切部材８９，８９の間にある照射領域１０２および上側の仕切部材８９より上方にある照射領域１０３を備えている。
そして、照射領域１０１は、主として下段のＬＥＤ６３ａ１からの光によって照らされ、照射領域１０２は、主として中段のＬＥＤ６３ａ２からの光によって照らされ、照射領域１０３は、主として上段のＬＥＤ６３ａ１およびその上方にある２つのＬＥＤ６３ａ１によって照らされるようになっている。
【００４９】
また、図１３に示すように、仕切部材８９と演出用表示シート６７との間には所定の隙間Ｓが設けられている。この隙間Ｓの長さは、上下に隣り合うＬＥＤ６２ａ，６２ａのうちの一方のＬＥＤ６２ａからの光が、他方のＬＥＤ６２ａによって照らされる照射領域の一部を照射可能となるように設定されている。
つまり、ＬＥＤ６２ａ１からの光Ｒ１が、ＬＥＤ６２ａ２によって照らされる照射領域１０２の一部を照射可能となり、ＬＥＤ６２ａ２からの光Ｒ２が、ＬＥＤ６２ａ１によって照らされる照射領域１０１の一部およびＬＥＤ６２ａ３によって照らされる照射領域１０３の一部を照射可能となり、ＬＥＤ６２ａ３からの光Ｒ３が、ＬＥＤ６２ａ２によって照らされる照射領域１０２の一部を照射可能となるように設定されている。
【００５０】
図１３では、２つの仕切部材８９と演出用表示シート６７との間の隙間Ｓは等しく設定されているが、隙間Ｓを異なるように設定してもよい。つまり、仕切部材８９のＬＥＤ基板６２の厚さ方向における長さを異なるように設定してもよい。
なお、隙間Ｓの一部には透明な背面パネル６６が設けられ、この背面パネル６６は演出用表示シート６７に当接されるとともに仕切部材８９との間に所定の隙間が設けられている。したがって、隙間Ｓは、少なくともその一部に光を透過可能な透明な部材が存在していた場合、その部材の厚さを含むものとする。
【００５１】
また、図１３および図１４に示すように、照射領域１０１〜１０３には、ＬＥＤ６２ａからの光が演出用表示シート６７の背面側から照射されることによって光って見える、蝶を模した意匠部６９ａ〜６９ｃが設けられている。
本実施の形態では、意匠部６９ａは照射領域１０１の幅方向略中央部でかつ上部に設けられ、意匠部６９ｂは照射領域１０２の幅方向略中央部でかつ上下方向全体に亙って設けられ、意匠部６９ｃは照射領域１０３の幅方向略中央部でかつ下部に設けられている。また、意匠部６９ａ〜６９ｃは意匠部６９ａから意匠部６９ｃに向かうにつれて次第に大きくなるように形成され、かつ相似形に形成されている。
【００５２】
また、意匠部６９ａの上部（一部）は、意匠部６９ａを照らすＬＥＤ６２ａ１と隣り合うＬＥＤ６２ａ２からの光Ｒ２によって照射される照射領域１０１の上部（一部）に位置している。また、意匠部６９ｂの下部（一部）は、意匠部６９ｂを照らすＬＥＤ６２ａ２と隣り合うＬＥＤ６２ａ１からの光Ｒ１によって照射される照射領域１０２の下部（一部）に位置し、意匠部６９ｂの上部（一部）は、意匠部６９ｂを照らすＬＥＤ６２ａ２と隣り合うＬＥＤ６２ａ３からの光Ｒ３によって照射される照射領域１０２の上部（一部）に位置している。さらに、意匠部６９ｃの下部（一部）は、意匠部６９ｃを照らすＬＥＤ６２ａ３と隣り合うＬＥＤ６２ａ２からの光Ｒ２によって照射される照射領域１０２の下部（一部）に位置している。
【００５３】
このような意匠部６９ａ〜６９ｃはＬＥＤ６２ａ１〜６２ａ３によって照らされて光って見えるが、本実施の形態では、例えばＬＥＤ６２ａ１〜６２ａ３はこの順で点灯するように制御される。つまり、ＬＥＤ６２ａ１〜６２ａ３の並設方向に沿って順次点灯するようになっている。
【００５４】
また、図１５に示すように、上扉３０の上部に設けられている表示窓３２の背面側には、遊技機における演出用の画像を表示するための表示ユニットが設けられており、この表示ユニットの表示面である液晶パネルは、表示窓３２を通して見ることができるようになっている。液晶パネルには様々な画像（動画を含む）が表示されるが、本実施の形態では、例えば、液晶パネル（表示窓３２）の左右両側部の画面に、上述した意匠部６９ａ〜６９ｃの配置方向（略上下方向）の延長上に、蝶を模した意匠部６９ｄ〜６９ｆを表示可能となっている。意匠部６９ｄは、意匠部６９ｃより大きくかつ当該意匠部６９ｃと相似形であり、また、意匠部６９ｄ〜６９ｆは意匠部６９ｄから意匠部６９ｆに向かうにつれて
次第に大きくなるように形成され、かつ相似形に形成されている。
そして、液晶パネルには、意匠部６９ａ〜６９ｃの連続的な点灯に続いて、例えば、意匠部６９ｄ〜６９ｆがこの順で連続的に表示されるようになっている。
【００５５】
以上のように、本実施の形態によれば、仕切部材８９と演出用表示シート６７との間に設けられた隙間Ｓの長さが、隣り合うＬＥＤ６２ａ，６２ａのうちの一方のＬＥＤ６２ａからの光が、他方のＬＥＤ６２ａによって照らされる照射領域１０１〜１０３の一部を照射可能となるように設定されているので、他方のＬＥＤ６２ａからの光によって照らされる照射領域１０１〜１０３の一部は一方のＬＥＤ６２ａからの光によって照らされる。このため、照射領域１０１〜１０３では、そのＬＥＤ６２ａからの光によって照らされる部分と、当該ＬＥＤ６２ａおよび隣り合う照射領域１０１〜１０３を照らすＬＥＤ６２ａからの光によって照らされる部分とが共存するため、両方のＬＥＤ６２ａ，６２ａの点灯タイミングや点灯色を異ならせることで、従来とは異なる演出効果を得ることができる。
また、仕切部材８９と演出用表示シート６７との間に隙間Ｓが設けられているので、仕切部材８９と演出用表示シート６７との間に隙間ない場合に生じる影を軽減できる。
【００５６】
また、複数のＬＥＤ６２ａ１〜６２ａ３はそれらの並設方向に沿って順次点灯するので、並設されたＬＥＤ６２ａ１〜６２ａ３によってそれぞれ照らされる照射領域１０１〜１０３がＬＥＤ６２ａ１〜６２ａ３の点灯に伴って、明るさや色が順次変化していく。したがって、演出効果をより高めることができる。
【００５７】
さらに、意匠部６９ａ〜６９ｃの一部が照射領域１０１〜１０３の一部に位置しているので、ＬＥＤ６２ａ１〜６２ａ３の点灯タイミングや点灯色を異ならせることで、意匠部６９ａ〜６９ｃはその一部が他の部分と異なる態様で光り、また、複数の６２ａ１〜６２ａ３をそれらの並設方向に沿って順次点灯させることで、照射領域１０１〜１０３に設けられている意匠部６９ａ〜６９ｃがＬＥＤ６２ａ１〜６２ａ３の点灯に伴って、明るさや色が順次変化していく。
このため、意匠部６９ａ〜６９ｃが異なる態様で光って見えたり、順次滑らかに移動していくように光って見えるので、演出効果をさらに高めることができる。
【００５８】
例えば、ＬＥＤ６２ａ１からの光Ｒ１が意匠部６９ａを照らすとともに意匠部６９ｂの下方の一部を照らし、ＬＥＤ６２ａ２からの光Ｒ２が意匠部６９ｂを照らすとともに意匠部６９ａの上方の一部および意匠部６９ｃの下方の一部を照らし、ＬＥＤ６２ａ３からの光Ｒ３が意匠部６９ｃを照らすとともに意匠部６９ｂの上方の一部を照らすため、ＬＥＤ６２ａ１〜ＬＥ６２ａ３をこの順（あるいはその逆順で）点灯制御を行った場合に、３連蝶々が下方から上方に滑らかに飛翔（逆順の場合滑らかに下降）しているように見える。したがって、演出効果を高めることができる。
さらに、表示窓３２から見える液晶パネルに、上述したような意匠部６９ａ〜６９ｃの連続的な点灯に続いて、例えば、意匠部６９ｄ〜６９ｆがこの順で連続的に表示されるようにすれば、６連蝶々が下方から上方に滑らかに飛翔（意匠部６９ｆ〜意匠部６９ａのような逆順の場合滑らかに下降）しているように見える。したがって、演出効果をさらに高めることができる。
【００５９】
なお、上述したようなＬＥＤ６２ａの点灯制御の外にも以下のような点灯制御を行ってもよい。
例えばＬＥＤ６２ａ１の点灯の際に意匠部６９ｂの一部（下部）が照射され、ＬＥＤ６２ａ２の点灯の際に意匠部６９ｃの一部（下部）が照射されるものの意匠部６９ａの一部（上部）は照射されないようにＬＥＤ６２ａの点灯制御を行ってもよい。さらに、ＬＥＤ６２ａ３の点灯の際に意匠部６９ｂの一部（上部）が照射されないようにＬＥＤ６２ａの点灯制御を行ってもよい。このようにすれば、飛翔の際には滑らかに蝶々が移動するような演出効果が得られるが、下降の際には特に滑らかではないような演出効果を得ることができる。
また、ＬＥＤ６２ａ３の点灯の際に意匠部６９ｂの一部（上部）が照射され、ＬＥＤ６２ａ２の点灯の際に意匠部６９ａの一部（上部）が照射されるものの意匠部６９ｃの一部（下部）は照射されないようにＬＥＤ６２ａの点灯制御を行ってもよい。さらに、ＬＥＤ６２ａ１の点灯の際に意匠部６９ｂの一部（下部）が照射されないようにＬＥＤ６２ａの点灯制御を行ってもよい。このようにすれば、下降の際には滑らかに蝶々が移動するような演出効果が得られるが、飛翔の際には特に滑らかではないような演出効果を得ることができる。
【００６０】
また、演出用表示シート６７の湾曲部６７ｂに設けられた係合部６７ｊ，６７ｊが遊技機のリール前ユニット６０に設けられた被係合部９７，９７に係合されているので、演出用パネル６１の演出用表示シート６７の位置ずれを防止できる。
また、リフレクタパネル６８がリール前ユニット６０の取付部９０に固定されているので、当該リフレクタパネル６８と取付部９０とで演出用パネル６１を挟み付けて強固に固定できる。
【００６１】
さらに、リフレクタパネル６８は、シート当接部７２，８２と、背面パネル当接部７６，７８，８６とを有しているので、リフレクタパネル６８を遊技機のリール前ユニット６０に固定するだけで、演出用表示シート６７を押え付けながら、リール前ユニット６０に位置決め固定できる。
また、演出用表示シート６７を押え付けるための部品を新たに追加する必要がないので、演出用パネル６１の省スペース化を図ることができる。
【００６２】
なお、本実施の形態では、演出用表示シート６７に３つの照射領域１０１〜１０３を設けたが、照射領域は２つ以上であれば、いくつあっても構わない。
また、本実施の形態では、照射領域１０１〜１０３に意匠部６９ａ〜６９ｃを一つずつ設けたが、一つの照射領域に複数の意匠部を設けてもよい。
さらに、本実施の形態では、照射領域１０１〜１０３を上下に配置したが、左右に配置してもよいし、斜めに配置してもよい。
【符号の説明】
【００６３】
６２ａ（６２ａ１〜６２ａ３）  ＬＥＤ（光源）
６７  演出用表示シート（演出用表示部材）
６９ａ〜６９ｃ  意匠部
８９  仕切部材
１０１〜１０３  照射領域
Ｓ  隙間
【図１】
2018075052.tif 000003
【図２】
2018075052.tif 000004
【図３】
2018075052.tif 000005
【図４】
2018075052.tif 000006
【図５】
2018075052.tif 000007
【図６】
2018075052.tif 000008
【図７】
2018075052.tif 000009
【図８】
2018075052.tif 000010
【図９】
2018075052.tif 000011
【図１０】
2018075052.tif 000012
【図１１】
2018075052.tif 000013
【図１２】
2018075052.tif 000014
【図１３】
2018075052.tif 000015
【図１４】
2018075052.tif 000016
【図１５】
2018075052.tif 000017